(57)【特許請求の範囲】
【請求項１】
各種の操作メッセージが表示される液晶表示装置と、当該液晶表示装置及び各種の電子部品が実装された操作パネル回路基板とを有し、操作パネルカバーに覆われた操作パネルの静電気を防止する構造であって、
前記液晶表示装置に隣接させて実装された液晶表示装置駆動用回路と、
前記操作パネル回路基板上の前記液晶表示装置及び液晶表示装置駆動用回路に隣接する位置に配設され、前記液晶表示装置駆動用回路とは非接触状態とされて前記操作パネル回路基板から上方へ延び、前記液晶表示装置及び液晶表示装置駆動用回路を少なくともこれらの両側方から取り囲んで、前記各種電子部品から当該液晶表示装置及び液晶表示装置駆動用回路を遮蔽する導電性部材とを備え、
前記導電性部材が、前記操作パネル回路基板を介してグランドに接地されると共に、前記液晶表示装置のメッセージ表示画面の中心部方向に向けて折り曲げられ、当該折り曲げられた導電性部材の下面部が前記液晶表示装置の側端部と線的に接触している操作パネルの静電防止構造。
【請求項２】
前記導電性部材は、前記操作パネル回路基板が設置される複写機の本体カバーの近傍位置となる前記液晶表示装置の側端部を避けて設けられている請求項１に記載の操作パネルの静電防止構造。
【請求項３】
前記液晶表示装置は前記操作パネル回路基板の一側端部に近接して設けられ、
前記導電性部材は、前記操作パネル回路基板の一側端部に近接する前記液晶表示装置の一側端部近傍には配置されていない請求項１又は請求項２に記載の操作パネルの静電防止構造。
【請求項４】
前記導電性部材は、前記液晶表示装置駆動用回路が配設されている前記液晶表示装置の側端部近傍と、当該液晶表示装置の側端部と向かい合っている側端部近傍とに設けられている請求項３に記載の操作パネルの静電防止構造。
【発明の詳細な説明】
【０００１】
【発明の属する技術分野】
本発明は、画像形成装置等のフロント部に配設される操作パネルの静電気を防止する構造に関するものである。
【０００２】
【従来の技術】
従来から、複写機やプリンタ等の画像形成装置には、各種の操作メッセージ等が表示される液晶表示装置や操作指示入力用のキー群等を備える操作パネルが設けられている。このような画像形成装置では、キー操作を行うときなどに操作者が操作パネルに触れると、操作者の手に蓄積されている静電気が装置カバーから液晶表示装置駆動用の回路基板に進入し、液晶表示装置の誤動作を引き起こし、液晶表示装置の表示が乱れるという問題がある。そのため、特開平9-245985号公報に記されているような操作パネルの静電防止構造が提案されている。この操作パネルの静電防止構造は、液晶表示部及び該液晶表示部駆動用の回路基板からなる液晶表示ユニットの上部をＬＣＤカバーで覆い、操作パネルカバーから液晶表示ユニットを遮蔽することによって、前記操作パネルカバーの前面から液晶表示装置の回路基板に直接電気が飛ぶことを防止するものである。
【０００３】
【発明が解決しようとする課題】
しかしながら、上記の操作パネルの静電防止構造は、ＬＣＤカバーを操作パネルカバーの開口部に嵌め込む構造であるため、ＬＣＤカバーの製造に精度が要求される。また、操作パネルの組立て時に操作パネルカバー及び液晶表示ユニットとは別個のＬＣＤカバーを組み込まなければならないため、操作パネルの組み立て作業に手間を要する。
【０００４】
本発明は、上述した問題点を解決するためになされたものであり、操作パネルの製造に精度が要求されることがなく、しかも組み立て性にも優れた操作パネルの静電防止構造を提供することを目的とする。
【０００５】
【課題を解決するための手段】
上記目的を達成するために請求項１に記載の発明は、各種の操作メッセージが表示される液晶表示装置と、当該液晶表示装置及び各種の電子部品が実装された操作パネル回路基板とを有し、操作パネルカバーに覆われた操作パネルの静電気を防止する構造であって、
前記液晶表示装置に隣接させて実装された液晶表示装置駆動用回路と、
前記操作パネル回路基板上の前記液晶表示装置及び液晶表示装置駆動用回路に隣接する位置に配設され、前記液晶表示装置駆動用回路とは非接触状態とされて前記操作パネル回路基板から上方へ延び、前記液晶表示装置及び液晶表示装置駆動用回路を少なくともこれらの両側方から取り囲んで、前記各種電子部品から当該液晶表示装置及び液晶表示装置駆動用回路を遮蔽する導電性部材とを備え、
前記導電性部材が、前記操作パネル回路基板を介してグランドに接地されると共に、前記液晶表示装置のメッセージ表示画面の中心部方向に向けて折り曲げられ、当該折り曲げられた導電性部材の下面部が前記液晶表示装置の側端部と線的に接触しているものである。
【０００６】
この構成によれば、ユーザが操作パネルカバーに触れたときに静電気が発生した場合であっても、液晶表示装置の隣接位置に設けられた導電性部材によって当該静電気が誘導されてグランドに逃げる。また、当該導電性部材によって、操作パネル回路基板上の各種電子部品から液晶表示装置及び液晶表示装置駆動用回路が遮蔽されているので、操作パネル回路基板上の各種電子部品から発生する静電気も当該導電性部材に誘導されてグランドに逃げる。これにより、液晶表示装置及び液晶表示装置駆動用回路への静電気の進入が回避されるので、液晶表示装置の誤動作及び表示乱れを防止することができる。
【０００７】
さらに、導電性部材が操作パネル回路基板上に設けられ、操作パネル回路基板を介して接地されているので、画像形成装置等に操作パネル回路基板を組み込む作業を行えば、液晶表示装置のアース機構が同時に組み込まれることになる。これにより、操作パネルの組み立て時にアース機構を配設するためだけに手間を要することがなくなり、組み立て性に優れる。また、当該導電性部材は、例えば、上記従来の操作パネルの静電防止構造のように、他の部材との寸法合わせを行う必要がないので、導電性部材の製造に精度が要求されず、製造コストを低減することができる。
【０００８】
また、請求項２に記載の発明は、請求項１に記載の操作パネルの静電防止構造であって、前記導電性部材が、前記操作パネル回路基板が設置される複写機の本体カバーの近傍位置となる前記液晶表示装置の側端部を避けて設けられたものである。
【０００９】
この構成によれば、複写機の本体カバー等からの静電気による電気的悪影響が排除される。
【００１０】
また、請求項３に記載の発明は、請求項１又は請求項２に記載の操作パネルの静電防止構造であって、前記液晶表示装置は前記操作パネル回路基板の一側端部に近接して設けられ、
前記導電性部材は、前記操作パネル回路基板の一側端部に近接する前記液晶表示装置の一側端部近傍には配置されていないものである。
【００１１】
液晶表示装置及び液晶表示装置駆動用回路は静電気に対して非常に弱いため、導電性部材が周囲の電気的部材から静電気を積極的に受け入れると、液晶表示装置が誤動作するおそれがあるが、上記構成によれば、操作パネル回路基板に隣接する位置に他基板及び各種電子部品が配置される場合にも、当該他基板及び各種電子部品の近傍には導電性部材が存在しないようにすることが可能となる。よって、これら電気的部材から導電性部材が静電気を積極的に受け過ぎることがなくなり、液晶表示装置の誤動作をより確実に回避することができる。
【００１２】
また、請求項４に記載の発明は、請求項３に記載の操作パネルの静電防止構造であって、前記導電性部材は、前記液晶表示装置駆動用回路が配設されている前記液晶表示装置の側端部近傍と、当該液晶表示装置の側端部と向かい合っている側端部近傍とに設けられているものである。
【００１３】
一般に、液晶表示装置駆動用回路から液晶表示装置までの配線パターンは、液晶表示装置駆動用回路の近傍のみではなく、当該液晶表示装置の側端部と向かい合っている側端部近傍にも配線されるため、上記構成のように、液晶表示装置駆動用回路が配設されている液晶表示装置の側端部近傍だけでなく、当該液晶表示装置の側端部と向かい合っている側端部近傍にも導電性部材を設けるようにすれば、当該配線に静電気が悪影響を及ぼすことを確実に回避することができる。
【００１４】
【発明の実施の形態】
以下、本発明の一実施形態に係る操作パネルの静電防止構造について図面を参照して説明する。図１は本発明に係る操作パネルの静電防止構造を備えた画像形成装置の一例を示す外観斜視図である。複写機（画像形成装置の一例）１では、原稿載置トレイ２に載置された原稿が、原稿搬送部３によって機内の画像読取り位置に搬送され、この画像読取り位置で原稿が露光走査されて原稿上の画像が読み取られる。読み取った画像に基づいて画像形成する感光体ドラム及び現像部と、用紙上にトナー画像を定着するための定着部は複写機１の下部に内蔵されている。画像が形成された用紙は排出トレイユニット４に排出される。
【００１５】
複写機１のフロント部には、操作者（ユーザ）から操作指示が入力される操作パネル５が設けられている。この操作パネル５には、操作者に対して操作指示の入力を促すメッセージが表示される液晶表示装置１０、複写機１の動作状態等を示すためのＬＥＤ５１、コピー枚数等を入力するためのテンキー５２、コピー開始指示を入力するためのスタートボタン５３等が備えられている。
【００１６】
図２は本発明に係る操作パネルの静電防止構造が施された操作パネル回路基板を示す平面図、図３は当該操作パネル回路基板における液晶表示装置の実装箇所の断面図であり、図２のＡ−Ａ線断面図である。操作パネル回路基板６には、上記液晶表示装置１０と、ＬＥＤ５１と、テンキー５２等の操作パネル構成部品が実装されている。液晶表示装置１０は、画像形成装置等の筐体の一部（上記操作パネル５部分）をなす操作パネルカバーに対向するように配置されるメッセージ表示画面１０ａを上面に有するＬＣＤ（liquid crystal display）等からなり、当該メッセージ表示画面には、仕上げ方法，印刷倍率，用紙サイズ等の選択を促すメッセージが表示される。
【００１７】
操作パネル回路基板６上の液晶表示装置１０の近傍（図２における液晶表示装置１０下側）には上記ＬＥＤ５１等が実装されている（図３では不図示）。液晶表示装置１０の下部は液晶表示装置駆動用回路基板７に取り付けられており、この液晶表示装置駆動用回路基板７上には液晶表示装置１０に隣接する位置に液晶表示装置駆動用ＩＣ８が実装され、液晶表示装置１０の周囲には液晶表示装置駆動用ＩＣ８からの配線パターン８ａが配設されている。液晶表示装置１０は液晶表示装置駆動用回路基板７を介して操作パネル回路基板６に実装されている。
【００１８】
操作パネル回路基板６上において、液晶表示装置駆動用ＩＣ８が配設されている液晶表示装置１０の側端部近傍には、当該側端部の全長に亘って延びる導電性部材１１が設けられている。更に、当該液晶表示装置駆動用ＩＣ８が配設されている液晶表示装置１０の側端部と向かい合っている側端部近傍にも、この側端部の全長に亘って延びる導電性部材１１が設けられている。
【００１９】
このように導電性部材１１を構成した場合、液晶表示装置１０に配設する導電性部材１１を２パーツに分けることができるので、各々の導電性部材１１は直線状の形状で足りることになる。よって、各導電性部材１１を金型成型で容易に製造することが可能になる。
【００２０】
上記導電性部材１１は、ＬＥＤ５１及びテンキー５２等の部品から液晶表示装置１０及び液晶表示装置駆動用ＩＣ８を遮蔽するようにして設けられている。導電性部材１１は、液晶表示装置駆動用回路基板７の側端部の近傍位置ではあるが、当該液晶表示装置駆動用回路基板７及び液晶表示装置駆動用ＩＣ８から隙間を空けた位置に配置されている。導電性部材１１は当該位置において、液晶表示装置駆動用回路基板７及び液晶表示装置駆動用ＩＣ８に接触しないようにして（導通させないようにして）、操作パネル回路基板６から上方へ延び、液晶表示装置１０のメッセージ表示画面１０ａと略同等の高さ付近でメッセージ表示画面１０ａの中心部方向に向けて折れ曲がっている。導電性部材１１は、メッセージ表示画面１０ａの側端部付近と接触・非接触のどちらでもよいが、接触するように設定することが好ましい。導電性部材１１は、メッセージ表示画面１０ａの周縁（側端部）を囲い覆う形状とされており、メッセージ表示画面１０ａの視認性に支障を生じないようになっている。
【００２１】
導電性部材１１は操作パネル回路基板６を介してグランドに接地されており、操作パネル回路基板６を複写機１に組み込むことによって、導電性部材１１がグランドに導通してアース機構が完成するようになっている。このように構成された導電性部材１１によって、操作パネル５の表面から液晶表示装置１０に進入してきた静電気と、操作パネル回路基板６上に実装されているＬＥＤ５１及びテンキー５２等からの静電気とをグランドに逃がすようになっている。
【００２２】
上記構成でなる操作パネル回路基板６は、画像形成装置等のフロント部に設置される操作パネル５の一部をなし、当該操作パネル５部分の操作パネルカバー２０の裏側に配置される。よって、操作パネル回路基板６，液晶表示装置１０及び導電性部材１１の上方には操作パネルカバー２０が位置することになり、操作パネル回路基板６は操作パネルカバー２０に覆われた状態となる。液晶表示装置１０のメッセージ表示画面１０ａは、操作パネルカバー２０に設けられたウインドウ部２０ａから透明カバーを通して視認可能とされている。
【００２３】
また、液晶表示装置１０は操作パネル回路基板６の一側端部に近接して設けられ、導電性部材１１は、操作パネル回路基板６の一側端部に近接する液晶表示装置１０の一側端部近傍には配置されないようにされている。これにより、導電性部材１１は、操作パネル回路基板６に隣接して配設される他の基板や各種電子部品の近傍位置、又は当該操作パネル回路基板６が設置される複写機１の本体カバーの近傍位置となる液晶表示装置１０の側端部には設けないものとされている。そのため、当該他の基板や各種電子部品、及び複写機１の本体カバー等からの静電気による電気的悪影響が排除されるようになっている。
【００２４】
次に、本発明に係る操作パネルの静電防止構造の他の実施形態について説明する。図４，図５は本発明に係る操作パネルの静電防止構造の第２の実施形態を示す平面図である。導電性部材１１は、図４に示すように「コ」の字状に形成した一部材からなるものを液晶表示装置１０の外周部分に配設してもよい。これは、少なくとも、操作パネル回路基板６に隣接して配設される他の基板や各種電子部品の近傍位置や、当該操作パネル回路基板６が設置される複写機１の本体カバーの近傍位置には導電性部材１１を設けないようにしたものである。これによれば、操作パネル回路基板６上で液晶表示装置１０の側方に配置されている電子部品、例えば、テンキー５２等からの静電気をも排除することができる。さらに、導電性部材１１は、図５に示すように、液晶表示装置１０の外周の全てに配設されるような形状であっても構わない。
【００２５】
このような本実施形態の操作パネルの静電防止構造によれば、ユーザが複写機１の操作時に操作パネル５に触れて静電気が発生した場合であっても、当該静電気を導電性部材１１が誘導してグランドに逃がすことができる。これにより、液晶表示装置駆動用ＩＣ８及び液晶表示装置１０への静電気の進入が回避されるので、液晶表示装置１０の誤動作及び表示乱れを防止することができる。
【００２６】
また、導電性部材１１は操作パネル回路基板６上に設けられているので、複写機１に操作パネル回路基板６を組み込む作業を行えば、導電性部材１１からなるアース機構が複写機１に同時に組み込まれることになる。これにより、操作パネル５の組み立て時に当該アース機構を配設するための手間を要することがなく、組み立て性に優れる。さらに、当該導電性部材１１は、例えば、上記従来の操作パネルの静電防止構造（特開平9-245985号公報参照）のように他部材との寸法合わせが要求されることがないので、導電性部材１１の製造に精度が要求されず、製造コストが低減される。
【００２７】
なお、本発明は上記実施の形態の構成に限られず種々の変形が可能である。例えば、液晶表示装置１０に配設する導電性部材１１の形状及び大きさ等は、上記各実施形態に示したものに限定されるものではない。導電性部材１１の形状は、上記に示した操作パネル５からの静電気、及び操作パネル回路基板６に隣接して配設される他の基板や各種電子部品、又は当該操作パネル回路基板６が設置される複写機１の本体カバーからの静電気を誘導してグランドに逃がすことができるものであれば、適宜変更が可能である。
【００２８】
【発明の効果】
以上のように本発明によれば、ユーザが操作パネルカバーに触れたときに静電気が発生した場合であっても、液晶表示装置の隣接位置に設けられた導電性部材によって当該静電気が誘導されてグランドに逃げる。また、当該導電性部材によって、操作パネル回路基板上の各種電子部品から液晶表示装置及び液晶表示装置駆動用回路が遮蔽されているので、操作パネル回路基板上の各種電子部品から発生する静電気は当該静電気が誘導されてグランドに逃げる。これにより、液晶表示装置及び液晶表示装置駆動用回路への静電気の進入が回避されるので、液晶表示装置の誤動作及び表示乱れを防止することができる。
【００２９】
さらに、導電性部材が操作パネル回路基板上に設けられ、操作パネル回路基板を介して接地されているので、画像形成装置に操作パネル回路基板を組み込む作業を行えば、液晶表示装置のアース機構が同時に組み込まれることになる。これにより、操作パネルの組み立て時にアース機構を配設するためだけに手間を要することがなく、組み立て性に優れる。また、当該導電性部材は、例えば、上記従来の操作パネルの静電防止構造のように、他の部材との寸法合わせを行う必要がないので、導電性部材の製造に精度が要求されないので、製造コストを低減することができる。
【００３０】
また、導電性部材が、操作パネル回路基板が設置される複写機の本体カバーの近傍位置となる液晶表示装置の側端部を避けて設けられる場合には、複写機の本体カバー等からの静電気による電気的悪影響を排除することができる。
【００３１】
また、液晶表示装置を操作パネル回路基板の一側端部に近接して設け、導電性部材を操作パネル回路基板の一側端部に近接する液晶表示部の一側端部近傍には配置しない構成とすれば、操作パネル回路基板に隣接する位置に他基板及び各種電子部品が配置されるような場合であっても、当該他基板及び各種電子部品の近傍に導電性部材が存在しないようにすることが可能となる。よって、これら電気的部材から導電性部材が静電気を積極的に受け過ぎることをなくし、液晶表示装置の誤動作をより確実に回避することができる。
【００３２】
また、一般に、液晶表示装置駆動用回路から液晶表示装置までの配線パターンは、液晶表示装置駆動用回路の近傍のみではなく、液晶表示装置の周囲各部に配線されるが、液晶表示装置駆動用回路が配設されている液晶表示装置の側端部近傍だけでなく、当該液晶表示装置の側端部と向かい合っている側端部近傍にも導電性部材を設ける構成とすれば、当該側端部部分の配線パターンに静電気が悪影響を及ぼすことを確実に回避することができる。
【図面の簡単な説明】
【図１】  本発明に係る操作パネルの静電防止構造を備えた画像形成装置の一例を示す外観斜視図である。
【図２】  本発明に係る操作パネルの静電防止構造が施された回路基板を示す平面図である。
【図３】  上記回路基板の液晶表示装置実装箇所における断面図であり、図２のＡ−Ａ線断面図である。
【図４】  本発明に係る操作パネルの静電防止構造の他の実施形態を示す平面図である。
【図５】  本発明に係る操作パネルの静電防止構造の他の実施形態を示す平面図である。
【符号の説明】
１    複写機
５    操作パネル
６    操作パネル回路基板
７    液晶表示装置駆動用回路基板
８    液晶表示装置駆動用ＩＣ
１０  液晶表示装置
１１  導電性部材
【図１】
0004191418.tif 000002
【図２】
0004191418.tif 000003
【図３】
0004191418.tif 000004
【図４】
0004191418.tif 000005
【図５】
0004191418.tif 000006